(57)【要約】  【課題】省電力化が可能な放電灯点灯装置を提供する。  【解決手段】外部操作に伴う所定の割り込み信号を入力した際にのみ、マイコン制御部11のクロックが動作して、インバータオンオフ回路12などの駆動を所定の割り込み信号に応じて制御することで、割り込み信号を入力していない状態ではマイコン制御部11のクロックが停止するため、省電力化できる。  【選択図】図１
2005317413.tif 000002
【特許請求の範囲】
【請求項１】
放電灯を点灯する点灯部と；
外部操作に伴う所定の割り込み信号が入力された際にのみクロックを動作させて所定の割り込み信号に応じて点灯部の駆動を制御するマイコン制御部と；
を具備していることを特徴とした放電灯点灯装置。
【請求項２】
商用交流電源により充電され、商用交流電源の遮断時に放電するバックアップ電源と；
バックアップ電源からの放電により駆動され、商用交流電源の遮断時にマイコン制御部の動作が停止した際にマイコン制御部をリセットするリセット回路と；
を具備していることを特徴とした請求項１記載の放電灯点灯装置。
【請求項３】
請求項１または２記載の放電灯点灯装置と；
放電灯が取り付けられる器具本体と；
を具備していることを特徴とした照明器具。
【発明の詳細な説明】
【技術分野】
【０００１】
本発明は、放電灯を点灯する点灯部の駆動を制御するマイコン制御部を有する放電灯点灯装置およびこの放電灯点灯装置を用いた照明器具に関する。
【背景技術】
【０００２】
従来、この種の放電灯点灯装置は、壁スイッチあるいはリモコンなどによる外部操作に応じて照明負荷の複数の点灯モードを制御するマイコン制御部を備え、このマイコン制御部には、商用交流電源のオンオフを検知する電源検出部と、マイコン制御部をリセットするリセット回路と、商用交流電源を整流してマイコンおよびリセット回路に供給する直流電源とが接続されている。そして、この放電灯点灯装置では、商用交流電源をオンするとこの商用交流電源が整流および平滑されて直流電源となって各部に供給され、商用交流電源のオフすなわち遮断後には、壁スイッチなどからの入力の待ち受けのために、直流電源から供給される電圧が一定時間保持される（例えば、特許文献１参照。）。
【特許文献１】特開平１０−３２１３８０号公報（第２頁、図１）
【発明の開示】
【発明が解決しようとする課題】
【０００３】
しかしながら、上述の放電灯点灯装置では、マイコン制御部のクロックが常時動作しているため、消費電流が多く、省電力化が容易でないという問題点を有している。
【０００４】
特に、バックアップ用の補助電源として電解コンデンサを用いる場合には、商用交流電源遮断後の電源保持中にもマイコン制御部のクロックが動作していることで、点灯モードを切り換えるために、例えば壁スイッチを短時間でオンオフさせることを繰り返した際などに、オン時に電解コンデンサが充分に充電されずに電圧が順次低下し、商用交流電源遮断後の補助電源の保持時間が短くなるという問題点を有している。
【０００５】
また、商用交流電源遮断後のバックアップ電源の保持時間が短くなると、照明負荷の点灯モードを一巡させることができず、操作性に問題がでることもある。
【０００６】
本発明は、このような点に鑑みなされたもので、省電力化が可能な放電灯点灯装置およびこの放電灯点灯装置を用いた照明器具を提供することを目的とする。
【課題を解決するための手段】
【０００７】
請求項１記載の放電灯点灯装置は、放電灯を点灯する点灯部と；外部操作に伴う所定の割り込み信号が入力された際にのみクロックを動作させて所定の割り込み信号に応じて点灯部の駆動を制御するマイコン制御部と；を具備しているものである。
【０００８】
そして、外部操作に伴う所定の割り込み信号が入力された際にのみ、マイコン制御部のクロックが動作して、点灯部の駆動を所定の割り込み信号に応じて制御することで、割り込み信号が入力されていない状態ではマイコン制御部のクロックが停止するため、省電力化が可能になる。
【０００９】
請求項２の放電灯点灯装置は、請求項１記載の放電灯点灯装置において、商用交流電源により充電され、商用交流電源の遮断時に放電するバックアップ電源と；バックアップ電源からの放電により駆動され、商用交流電源の遮断時にマイコン制御部の動作が停止した際にマイコン制御部の動作をリセットするリセット回路と；を具備しているものである。
【００１０】
そして、商用交流電源の遮断時にマイコン制御部の動作が停止すると、バックアップ電源からの放電によりリセット回路が駆動してマイコン制御部をリセットすることで、マイコン制御部の誤動作を確実に防止する。
【００１１】
請求項３記載の照明器具は、請求項１または２記載の放電灯点灯装置と；放電灯が取り付けられる器具本体と；を具備しているものである。
【００１２】
そして、請求項１または２記載の放電灯点灯装置を備えることにより、省電力化が可能になる。
【発明の効果】
【００１３】
請求項１記載の放電灯点灯装置によれば、外部操作に伴う所定の割り込み信号が入力された際にのみ、マイコン制御部のクロックが動作して、点灯部の駆動を所定の割り込み信号に応じて制御することで、割り込み信号が入力されていない状態ではマイコン制御部のクロックが停止するため、省電力化できる。
【００１４】
請求項２記載の放電灯点灯装置によれば、請求項１記載の放電灯点灯装置の効果に加えて、商用交流電源の遮断時にマイコン制御部の動作が停止すると、バックアップ電源からの放電によりリセット回路が駆動してマイコン制御部をリセットすることで、マイコン制御部の誤動作を確実に防止できる。
【００１５】
請求項３記載の照明器具によれば、請求項１または２記載の放電灯点灯装置を備えることにより、省電力化できる。
【発明を実施するための最良の形態】
【００１６】
以下、本発明の一実施の形態を図面を参照して説明する。
【００１７】
図１は照明器具を示すブロック図、図２は放電灯点灯装置の一部を示す回路図、図３は照明器具を示す斜視図、図４はマイコン制御部の動作を示すフローチャート、図５はマイコン制御部の動作を示すタイミングチャート、図６はバックアップ電源およびマイコン制御部の電圧と時間との関係を示すグラフである。
【００１８】
図３において、１は例えば住宅用などに使用する照明器具を示し、この照明器具１は、器具本体２を備え、この器具本体２には、放電灯としての環形の蛍光ランプ３と常夜灯４とがそれぞれ取り付けられ、これら蛍光ランプ３と常夜灯４とを点灯する放電灯点灯装置５が内部に収容されている。
【００１９】
図１に放電灯点灯装置５を示す。この放電灯点灯装置５は、マイコン制御部11を有し、このマイコン制御部11には、蛍光ランプ３を高周波点灯させる点灯部としてのインバータオンオフ回路12、常夜灯４を点灯させる常夜灯点灯部としての常夜灯点灯回路13、商用交流電源ｅを整流および平滑して直流電源としてマイコン制御部11に供給する電源回路14、商用交流電源ｅのオンオフを検出する電源監視回路15、マイコン制御部11の動作をリセットするリセット回路16、蛍光ランプ３および常夜灯４の複数の点灯モードを操作する外部スイッチとしての壁スイッチ17、および、蛍光ランプ３および常夜灯４の複数の点灯モードを操作する図示しないリモコンからの信号を受信する信号受信部18がそれぞれ電気的に接続されている。
【００２０】
電源回路14は、商用交流電源ｅに対して、常夜灯点灯回路13、電源監視回路15およびリセット回路16と並列に接続され、商用交流電源ｅに接続された図示しないトランスおよびダイオードブリッジなどを備え、図２に示すように、トランスの二次側である入力部Inに整流用のダイオードＤを有している。そして、このダイオードＤには、抵抗R1が接続され、この抵抗R1には、バックアップ電源としての平滑用のコンデンサC1と、電圧を所定値、例えば５Ｖまで降下させてマイコン制御部11に供給する電圧降下部としてのドロッパ19が並列に接続されている。
【００２１】
コンデンサC1は、商用交流電源ｅにより充電され、この商用交流電源ｅのオフすなわち遮断時に放電するものである。そして、このコンデンサC1は、商用交流電源ｅの遮断状態で少なくとも点灯モードを一巡できる電力を充電可能な容量を有している。
【００２２】
電源監視回路15は、壁スイッチ17あるいはリモコンによる商用交流電源ｅのオンオフを検出し、割り込み信号としてパルス状の電源検出信号をマイコン制御部11に出力するものであり、入力部InにダイオードＤと並列に接続された抵抗R2を備え、この抵抗R2にコンデンサC2とスイッチング素子としてのＮＰＮ型のトランジスタQ1のベースとが並列に接続されている。そして、コンデンサC2は、アースＧに接続され、トランジスタQ1は、抵抗R3を介して抵抗R1にコンデンサC1と並列にコレクタが接続され、かつアースＧにエミッタが接続されている。
【００２３】
リセット回路16は、商用交流電源ｅが遮断され、かつマイコン制御部11の全体の動作が停止した際に、コンデンサC1から放電される電力により駆動してマイコン制御部11の動作をパワーオンリセットするものである。
【００２４】
そして、このリセット回路16は、ドロッパ19に接続された抵抗R4を備え、この抵抗R4は、リセット用のスイッチング素子であるＮＰＮ型のトランジスタQ2のコレクタに接続されている。このトランジスタQ2は、トランジスタQ1のコレクタに対して抵抗R3と並列にベースが接続され、かつアースＧにエミッタが接続されている。また、このトランジスタQ2のベースは、マイコン制御部11の動作監視用のスイッチング素子としてのＮＰＮ型のトランジスタQ3のコレクタに接続されている。このトランジスタQ3は、アースＧにエミッタが接続されている。また、このトランジスタQ3は、マイコン制御部11の所定のポートにベースが接続され、マイコン制御部11の動作時に図示しないプルアップ抵抗が接続され、マイコン制御部11の停止時にこのプルアップ抵抗が解除される。
【００２５】
壁スイッチ17は、壁などに設置されており、外部操作により商用交流電源ｅをオンオフするものである。そして、この壁スイッチ17は、商用交流電源ｅのオフおよびオンを所定の待ち受け時間、例えば１秒以内に切り換えた際に蛍光ランプ３および常夜灯４の複数の点灯モードの切り換え信号を割り込み信号としてマイコン制御部11に出力し、商用交流電源ｅのオフおよびオンを所定のリセット時間以内にしない場合には、消灯モードの割り込み信号をマイコン制御部11に出力するものである。なお、所定のリセット時間は、操作性を考慮して、所定の待ち受け時間の倍以上とする。
【００２６】
信号受信部18は、赤外線などによりマイコンから送信された蛍光ランプ３および常夜灯４の点灯および消灯の切り換え信号をそれぞれ受信し、割り込み信号としてマイコン制御部11に出力するものである。
【００２７】
そして、マイコン制御部11は、壁スイッチ17やリモコンの外部操作による蛍光ランプ３および常夜灯４の複数の点灯モードの切り換えの割り込み信号、あるいは壁スイッチ17あるいはリモコンによる商用交流電源ｅのオンオフに伴う電源監視回路15からの商用交流電源ｅの電源検出信号などの割り込み信号が入力された際にクロックを動作させ、それ以外の待機すなわち待ち受け状態ではクロックが停止している。
【００２８】
また、このマイコン制御部11は、入力された割り込み信号に応じてインバータオンオフ回路12あるいは常夜灯点灯回路13を駆動させ、蛍光ランプ３の全光点灯と、調光点灯と、蛍光ランプ３の消灯および常夜灯４の点灯と、蛍光ランプ３および常夜灯４の消灯などの複数の点灯モードをそれぞれ切り換えるものである。
【００２９】
次に、上記一実施の形態の動作を説明する。
【００３０】
マイコン制御部11は、待機状態でクロックが停止し（ステップ１）、壁スイッチ17あるいはリモコンの外部操作に伴う割り込み信号が入力されたかどうかを検知している（ステップ２）。
【００３１】
そして、ステップ２において、割り込み信号が入力されていない状態では、ステップ１に戻り、割り込み信号が入力された状態では、マイコン制御部11がクロックを動作させる（ステップ３）。
【００３２】
この後、所定の割り込み信号に応じた割り込み処理中であるかどうかをマイコン制御部11が判断し（ステップ４）、割り込み処理中であると判断すればステップ３に戻り、割り込み処理が終了したと判断すればステップ１に戻ってマイコン制御部11のクロックが停止する。
【００３３】
具体的に、図５は、壁スイッチ17による蛍光ランプ３あるいは常夜灯４の点灯モードの切り換え操作の際の電源検出信号とマイコン制御部11の動作とを示し、例えば壁スイッチ17により商用交流電源ｅをオフにした状態、すなわち電源監視回路15からの電源検出信号がＨレベルからＬレベルに切り換わったとき、言い換えると電源検出信号の立ち下がりを検出した際などの電源検出信号の状態が変化したときには、マイコン制御部11がクロックを動作させる。
【００３４】
そして、マイコン制御部11は、所定の待ち受け時間以内に壁スイッチ17により電源が再度オンされたかどうかを検知し、所定の待ち受け時間以内に壁スイッチ17にて電源が再度オンされた場合には、インバータオンオフ回路12あるいは常夜灯点灯回路13の駆動を制御して蛍光ランプ３あるいは常夜灯４の点灯モードを切り換え、この切り換え処理が終了すると再度クロックを停止して待機状態となる。
【００３５】
図６は、壁スイッチ17による点灯モードの切り換え操作の際のコンデンサC1の電圧およびマイコン制御部11の電圧と時間との関係を示し、壁スイッチ17により商用交流電源ｅがオフされると、電源監視回路15のトランジスタQ1がオフされ、コンデンサC1に充電された電圧が放電されてバックアップとして作用し、電源電圧が所定時間保持される。この状態で、壁スイッチ17を所定の待ち受け時間以内にオンすると、商用交流電源ｅによりコンデンサC1が充電され、再度壁スイッチ17をオフにすると、コンデンサC1が放電する。
【００３６】
このとき、本実施の形態では、図６の破線に示す従来の場合と比較して、図６の実線に示すように、コンデンサC1の放電量が抑制され、コンデンサC1の電圧の低下が抑制されている。
【００３７】
また、壁スイッチ17により所定のリセット時間以上外部操作が入力されない場合には、マイコン制御部11がインバータオンオフ回路12あるいは常夜灯点灯回路13の駆動を制御して蛍光ランプ３および常夜灯４をともに消灯モードにした後停止し、リセット回路16によりリセットされる。
【００３８】
すなわち、商用交流電源ｅがオフされた状態で所定のリセット時間以上経過してマイコン制御部11全体が停止すると、図２に示す電源監視回路15のトランジスタQ1がオフされるとともに、マイコン制御部11内の図示しないプルアップ抵抗が解除されてトランジスタQ3がオフされることで、リセット回路16のトランジスタQ2がオンされ、コンデンサC1に充電された電荷をこのトランジスタQ2が引き抜いて、マイコン制御部11の電圧値を所定のリセット電圧以下に急激に低下させてマイコン制御部11をリセットしてマイコン制御部11を初期化すなわちイニシャライズする。
【００３９】
また、リモコンの外部操作による割り込み信号がマイコン制御部11に入力された際にも、壁スイッチ17の場合と同様の作用によりマイコン制御部11のクロックの動作がオンオフされる。
【００４０】
以上のように、外部操作に伴う所定の割り込み信号がマイコン制御部11に入力された際にのみ、マイコン制御部11のクロックが動作して、インバータオンオフ回路12あるいは常夜灯点灯回路13の駆動を所定の割り込み信号に応じて制御することで、割り込み信号が入力されていない状態ではマイコン制御部11のクロックが停止するため、省電力化できる。
【００４１】
特に、壁スイッチ17、あるいはリモコンを使用する照明器具１では、商用交流電源ｅのオフ時に、これら壁スイッチ17あるいはリモコンからの外部操作を待ち受けるために、商用交流電源ｅのオフ後もコンデンサC1の電力にて電源を所定時間保持するので、照明器具１を省電力化することでコンデンサC1の放電量を抑制し、バックアップの保持時間を充分に確保できる。
【００４２】
また、照明器具１を省電力化することで、商用交流電源ｅのオフ時にも、コンデンサC1のバックアップによって、壁スイッチ17あるいはリモコンによる外部操作の際に蛍光ランプ３あるいは常夜灯４の点灯モードを少なくとも一巡させることが可能になり、操作性を向上できる。
【００４３】
さらに、コンデンサC1によるバックアップの保持時間を確保できることで、コンデンサC1の容量を必要以上に大きくすることもないから、放電灯点灯装置５および照明器具１の小型化および製造コストの低減が可能になる。
【００４４】
また、商用交流電源ｅのオフ時に所定のリセット時間が経過してマイコン制御部11の動作が停止すると、コンデンサC1からの放電によりリセット回路16が駆動してマイコン制御部11を確実にリセットすることで、マイコン制御部11の誤動作を確実に防止できる。
【００４５】
特に、マイコン制御部11が複数、例えば２つのリセット電圧の閾値を有する場合などに、マイコン制御部11の動作が停止した際にコンデンサC1の電圧が充分に低下せずに第１のリセット電圧と第２のリセット電圧との間の値などとなってマイコン制御部11が誤動作することを防止し、照明器具１の信頼性を向上できる。
【００４６】
しかも、商用交流電源ｅの停止中には、壁スイッチ17あるいはリモコン以外からの割り込み信号がマイコン制御部11に入力されることがないので、マイコン制御部11の消費電流を最低限に抑制できる。
【００４７】
なお、上記一実施の形態において、放電灯点灯装置５は、例えば直管型の放電灯を用いる照明器具１など、他の様々なものに適用可能である。
【図面の簡単な説明】
【００４８】
【図１】本発明の一実施の形態の照明器具を示すブロック図である。
【図２】同上放電灯点灯装置の一部を示す回路図である。
【図３】同上照明器具を示す斜視図である。
【図４】同上マイコン制御部の動作を示すフローチャートである。
【図５】同上マイコン制御部の動作を示すタイミングチャートである。
【図６】同上バックアップ電源およびマイコン制御部のそれぞれの電圧と時間との関係を示すグラフである。
【符号の説明】
【００４９】
１    照明器具
２    器具本体
３    放電灯としての蛍光ランプ
５    放電灯点灯装置
11    マイコン制御部
12    点灯部としてのインバータオンオフ回路
16    リセット回路
C1    バックアップ電源としてのコンデンサ
ｅ    商用交流電源
【図１】
2005317413.tif 000003
【図２】
2005317413.tif 000004
【図３】
2005317413.tif 000005
【図４】
2005317413.tif 000006
【図５】
2005317413.tif 000007
【図６】
2005317413.tif 000008